【手続補正書】
【提出日】平成20年5月12日(2008.5.12)
【手続補正１】
【補正対象書類名】明細書
【補正対象項目名】特許請求の範囲
【補正方法】変更
【補正の内容】
【特許請求の範囲】
【請求項１】  被写体撮像時の撮像部のパンニングまたはチルティングによる移動を検出する撮像動作検出手段と、
上記被写体を撮像して生成した撮像画像を複数の周波数帯域の成分に分解して圧縮符号化する圧縮符号化手段と、
上記撮像動作検出手段により上記撮像部の移動が検出された場合、上記移動の方向が横方向であるときには、上記撮影画像から分解される複数の周波数帯域成分のうち、垂直方向の高周波数帯域成分を削減し、上記移動の方向が縦方向であるときには、上記撮影画像から分解される複数の周波数帯域成分のうち、水平方向の高周波数帯域成分を削減する画質変更手段とを有することを特徴とする撮像装置。
【請求項２】  被写体撮像時の撮像部のズーミング動作を検出する撮像動作検出手段と、
上記被写体を撮像して生成した撮像画像を複数の周波数帯域の成分に分解して圧縮符号化する圧縮符号化手段と、
上記撮像動作検出手段により上記ズーミング動作が検出された場合、上記撮影画像から分解される複数の周波数帯域成分のうち、高周波数帯域成分を削減する画質変更手段とを有することを特徴とする撮像装置。
【請求項３】  被写体撮像時の撮像部のパンニングまたはチルティングによる移動を検出する撮像動作検出手順と、
上記被写体を撮像して生成した撮像画像を複数の周波数帯域の成分に分解して圧縮符号化する圧縮符号化手順と、
上記撮像動作検出手順により上記撮像部の移動が検出された場合、上記移動の方向が横方向であるときには、上記撮影画像から分解される複数の周波数帯域成分のうち、垂直方向の高周波数帯域成分を削減し、上記移動の方向が縦方向であるときには、上記撮影画像から分解される複数の周波数帯域成分のうち、水平方向の高周波数帯域成分を削減する画質変更手順とを有することを特徴とする撮像方法。
【請求項４】  被写体撮像時の撮像部のズーミング動作を検出する撮像動作検出手順と、
上記被写体を撮像して生成した撮像画像を複数の周波数帯域の成分に分解して圧縮符号化する圧縮符号化手順と、
上記撮像動作検出手順により上記ズーミング動作が検出された場合、上記撮影画像から分解される複数の周波数帯域成分のうち、高周波数帯域成分を削減する画質変更手順とを有することを特徴とする撮像方法。
【請求項５】  被写体撮像時の撮像部のパンニングまたはチルティングによる移動を検出する撮像動作検出手順と、
上記被写体を撮像して生成した撮像画像を複数の周波数帯域の成分に分解して圧縮符号化する圧縮符号化手順と、
上記撮像動作検出手順により上記撮像部の移動が検出された場合、上記移動の方向が横方向であるときには、上記撮影画像から分解される複数の周波数帯域成分のうち、垂直方向の高周波数帯域成分を削減し、上記移動の方向が縦方向であるときには、上記撮影画像から分解される複数の周波数帯域成分のうち、水平方向の高周波数帯域成分を削減する画質変更手順とをコンピュータに実行させることを特徴とするコンピュータプログラム。
【請求項６】  被写体撮像時の撮像部のズーミング動作を検出する撮像動作検出手順と、
上記被写体を撮像して生成した撮像画像を複数の周波数帯域の成分に分解して圧縮符号化する圧縮符号化手順と、
上記撮像動作検出手順により上記ズーミング動作が検出された場合、上記撮影画像から分解される複数の周波数帯域成分のうち、高周波数帯域成分を削減する画質変更手順とをコンピュータに実行させることを特徴とするコンピュータプログラム。
【請求項７】  請求項５または６に記載のコンピュータプログラムを記録したことを特徴とするコンピュータ読み取り可能な記録媒体。
【手続補正２】
【補正対象書類名】明細書
【補正対象項目名】００１７
【補正方法】変更
【補正の内容】
【００１７】
【課題を解決するための手段】
本発明の撮像装置は、被写体撮像時の撮像部のパンニングまたはチルティングによる移動を検出する撮像動作検出手段と、上記被写体を撮像して生成した撮像画像を複数の周波数帯域の成分に分解して圧縮符号化する圧縮符号化手段と、上記撮像動作検出手段により上記撮像部の移動が検出された場合、上記移動の方向が横方向であるときには、上記撮影画像から分解される複数の周波数帯域成分のうち、垂直方向の高周波数帯域成分を削減し、上記移動の方向が縦方向であるときには、上記撮影画像から分解される複数の周波数帯域成分のうち、水平方向の高周波数帯域成分を削減する画質変更手段とを有することを特徴とする。
また、本発明の撮像装置他の特徴とするところは、被写体撮像時の撮像部のズーミング動作を検出する撮像動作検出手段と、上記被写体を撮像して生成した撮像画像を複数の周波数帯域の成分に分解して圧縮符号化する圧縮符号化手段と、上記撮像動作検出手段により上記ズーミング動作が検出された場合、上記撮影画像から分解される複数の周波数帯域成分のうち、高周波数帯域成分を削減する画質変更手段とを有することを特徴とする。
【手続補正３】
【補正対象書類名】明細書
【補正対象項目名】００１８
【補正方法】変更
【補正の内容】
【００１８】
本発明の撮像方法は、被写体撮像時の撮像部のパンニングまたはチルティングによる移動を検出する撮像動作検出手順と、上記被写体を撮像して生成した撮像画像を複数の周波数帯域の成分に分解して圧縮符号化する圧縮符号化手順と、上記撮像動作検出手順により上記撮像部の移動が検出された場合、上記移動の方向が横方向であるときには、上記撮影画像から分解される複数の周波数帯域成分のうち、垂直方向の高周波数帯域成分を削減し、上記移動の方向が縦方向であるときには、上記撮影画像から分解される複数の周波数帯域成分のうち、水平方向の高周波数帯域成分を削減する画質変更手順とを有することを特徴とする。
また、本発明の撮像方法の他の特徴とするところは、被写体撮像時の撮像部のズーミング動作を検出する撮像動作検出手順と、上記被写体を撮像して生成した撮像画像を複数の周波数帯域の成分に分解して圧縮符号化する圧縮符号化手順と、上記撮像動作検出手順により上記ズーミング動作が検出された場合、上記撮影画像から分解される複数の周波数帯域成分のうち、高周波数帯域成分を削減する画質変更手順とを有することを特徴とする。
【手続補正４】
【補正対象書類名】明細書
【補正対象項目名】００１９
【補正方法】変更
【補正の内容】
【００１９】
本発明のコンピュータプログラムは、被写体撮像時の撮像部のパンニングまたはチルティングによる移動を検出する撮像動作検出手順と、上記被写体を撮像して生成した撮像画像を複数の周波数帯域の成分に分解して圧縮符号化する圧縮符号化手順と、上記撮像動作検出手順により上記撮像部の移動が検出された場合、上記移動の方向が横方向であるときには、上記撮影画像から分解される複数の周波数帯域成分のうち、垂直方向の高周波数帯域成分を削減し、上記移動の方向が縦方向であるときには、上記撮影画像から分解される複数の周波数帯域成分のうち、水平方向の高周波数帯域成分を削減する画質変更手順とをコンピュータに実行させることを特徴とする。
また、本発明のコンピュータプログラムの他の特徴とするところは、被写体撮像時の撮像部のズーミング動作を検出する撮像動作検出手順と、上記被写体を撮像して生成した撮像画像を複数の周波数帯域の成分に分解して圧縮符号化する圧縮符号化手順と、上記撮像動作検出手順により上記ズーミング動作が検出された場合、上記撮影画像から分解される複数の周波数帯域成分のうち、高周波数帯域成分を削減する画質変更手順とをコンピュータに実行させることを特徴とする。
【手続補正５】
【補正対象書類名】明細書
【補正対象項目名】００６３
【補正方法】変更
【補正の内容】
【００６３】
【発明の効果】
以上説明したように、本発明によれば、被写体撮像時の撮像部のパンニングまたはチルティングによる移動を検出し、上記撮像部の移動が検出された場合、上記移動の方向が横方向であるときには、上記撮影画像から分解される複数の周波数帯域成分のうち、垂直方向の高周波数帯域成分を削減し、上記移動の方向が縦方向であるときには、上記撮影画像から分解される複数の周波数帯域成分のうち、水平方向の高周波数帯域成分を削減するようにしたので、記録メディアに記録される画像データの容量を大幅に縮小することが可能となる。この場合、撮像動作に対応して、画像データにおける水平方向または垂直方向の何れか１つの方向の高周波成分を選択して削減するようにしているので、画質の劣化が問題とならない範囲において画質の変更を行なうことが可能である。このため、画質の大幅な低下を実質的に防止しながら画像データの圧縮を図り、記録媒体に記録することが可能な時間を延長することができる。
【手続補正６】
【補正対象書類名】明細書
【補正対象項目名】００６４
【補正方法】変更
【補正の内容】
【００６４】
また、本発明の他の特徴によれば、被写体撮像時の撮像部のズーミング動作を検出した場合には、上記撮影画像から分解される複数の周波数帯域成分のうち、高周波数帯域成分を削減するようにした。これにより、画質の大幅な低下を実質的に防止しながら画像データの圧縮を図ることを、撮像装置が通常備えているセンサーを用いて実現することができ、専用の構成部品を別途追加する必要をなくして、撮像装置がコストアップすることを防止することができる。